(57)【特許請求の範囲】
【請求項１】
基礎コンクリートブロックの外形より大きい内寸を有する矩形状の基礎コンクリート吊り用治具であって、
鋼材により矩形状に組まれ、一方の対向する一対の鋼材は、ほぼ中央部で下方向に折り曲げ可能であり、他方の対向する一対の鋼材は、ワイヤー吊り部を有し、
前記ワイヤー吊り部は、鋼材のほぼ中央部で上方に突出しており、
ワイヤー吊り部を有する鋼材の内側には基礎コンクリートブロックに当接する弾性体が鋼材の全長に及ぶように設置されていること、を特徴とする基礎コンクリート吊り用治具。
【請求項２】
クレーンによる吊り上げ状態で、一対のワイヤー吊り部とクレーンフックとを連結する２本の吊りワイヤー間の角度が１４０°以上となるように設定されていること、を特徴とする請求項１記載の基礎コンクリート吊り用治具。
【発明の詳細な説明】
【０００１】
【発明の属する技術分野】
本発明は、基礎コンクリート吊り用治具に関するものである。
【０００２】
【従来の技術】
プレキャストコンクリートによる基礎コンクリートブロックをクレーンを用いて揚重・移動させる場合、基礎コンクリートブロックにワイヤーを掛け、このワイヤーをクレーンで吊り上げて、揚重・移動させている。
【０００３】
【発明が解決しようとする課題】
しかし、基礎コンクリートブロックに、従来のようにワイヤーを掛ける作業は基礎コンクリートブロックの片側を持ち上げてワイヤーを通さなければならず、重労働となっていた。
【０００４】
そこで、本発明の目的は、基礎コンクリートブロックにワイヤーを掛ける必要がなく、基礎コンクリートブロックの吊り上げ作業を容易に行うことができる治具を提供することにある。
【０００５】
【課題を解決するための手段】
以上の課題を解決すべく本発明は、例えば図１に示すように、基礎コンクリートブロック（８）の外形より大きい内寸を有する矩形状の基礎コンクリート吊り用治具（１）であって、鋼材（２，２，３，３）により矩形状に組まれ、一方の対向する一対の鋼材（２，２）は、ほぼ中央部で上下方向に折り曲げ可能であり、他方の対向する一対の鋼材（３，３）は、ワイヤー吊り部（４，４）を有することを特徴としている。
【０００６】
ここで、基礎コンクリート吊り用治具の内寸は基礎コンクリートブロックを容易に通すことができる大きさであれば良い。
【０００７】
以上のように、本発明によれば、基礎コンクリートブロックの外形より大きい内寸を有する矩形状に組んだ鋼材による基礎コンクリート吊り用治具を、基礎コンクリートブロックの外側に被せ、対向する一対の鋼材を折り曲げることによって、基礎コンクリート吊り用治具の内寸が小さくなり、他方の対向する一対の鋼材が基礎コンクリートブロックに当接し、基礎コンクリートブロックを挟み込む。これにより基礎コンクリートブロックと基礎コンクリート吊り用治具が連結され、他方の対向する一対の鋼材に設けたワイヤー吊り部にワイヤーを設置することにより容易に基礎コンクリートブロックの吊り上げ作業を行うことができる。
【０００８】
また、本発明は、上記に記載の基礎コンクリート吊り用治具であって、例えば図３に示すように、ワイヤー吊り部は、鋼材のほぼ中央部で上方に突出していることを特徴としている。
【０００９】
このように、本発明によれば、基礎コンクリート吊り用治具の鋼材のほぼ中央部にワイヤー吊り部を設けたことにより、基礎コンクリート吊り用治具を基礎コンクリートブロックに連結して吊り上げる際に、基礎コンクリートブロックの重心を取り易く、吊り上げ作業を安全に行うことができる。
【００１０】
本発明は、上記に記載の基礎コンクリート吊り用治具であって、例えば図１に示すように、ワイヤー吊り部を有する鋼材の内側には基礎コンクリートブロックに当接する弾性体（例えば、板ゴム６，６）が設置されていること、を特徴としている。
【００１１】
ここで、弾性体としては、例えばゴムや樹脂等が挙げられる。
【００１２】
このように、本発明によれば、基礎コンクリート吊り用治具の、ワイヤー吊り部を有する鋼材の内側の、基礎コンクリートブロックと当接する部分に弾性体を設けたことにより、鋼材と基礎コンクリートブロックとが密着するので、基礎コンクリートブロックが滑りにくく、基礎コンクリート吊り用治具は確実に基礎コンクリートブロックを保持することができる。
【００１３】
本発明は、上記に記載の基礎コンクリート吊り用治具であって、例えば図４に示すように、クレーンによる吊り上げ状態で、一対のワイヤー吊り部とクレーンフックとを連結する２本の吊りワイヤー（７，７）間の角度（Ａ）が１４０°以上となるように設定されていることを特徴としている。
【００１４】
このように、本発明によれば、クレーンによる吊り上げ状態で、一対のワイヤー吊り部とクレーンフックとを連結する２本の吊りワイヤー間の角度を１４０°以上となるようにすると、吊り上げによってそれぞれのワイヤーにかかる力のうちの水平方向への力が大きくなる。これにより、基礎コンクリート吊り用治具のワイヤー吊り部を有する鋼材が、基礎コンクリートブロックに強く押しつけられ、より確実に基礎コンクリートブロックを保持することができる。
【００１５】
【発明の実施の形態】
以下に、本発明に係る基礎コンクリート吊り用治具の実施の形態例を図１から図４に基づいて説明する。
先ず、図１は基礎コンクリート吊り用治具の上面図である。基礎コンクリート吊り用治具１は、折り曲げ可能な鋼材２，２と、ワイヤー吊り部４，４を有した鋼材３，３とを矩形状に組んで形成されている。ここで、２つの折り曲げ可能な鋼材２，２が互いに対向し、２つのワイヤー吊り部４，４を有した鋼材３，３も互いに対向するように組まれている。
【００１６】
折り曲げ可能な鋼材２，２は、鋼材（山形鋼）２ａと鋼材（山形鋼）２ｂとを、鋼材２ａの外側に設けた鋼板２ｃを介して、ボルト２ｄで連結したものであり、鋼材２，２の中央で上方へ折り曲がるようになっている（図２参照）。
鋼材３，３は中央部に、鋼板で形成されたワイヤー吊り部４，４を有している（図３参照）。ワイヤー吊り部４，４は鋼材３，３から上方へ突出しており、上部は基礎コンクリート吊り用治具１の内側方向に向かって屈折している。このワイヤー吊り部４，４の上部には、穴５，５，５，５が形成されている。
また、鋼材３，３は内側に板ゴム６，６を備えている。
【００１７】
鋼材２，２及び鋼材３，３によって矩形状に形成された基礎コンクリート吊り用治具１の内寸は、吊り上げる基礎コンクリートブロックの外形より大きく形成されている。
【００１８】
次に、図４を用いて本基礎コンクリート吊り用治具を用いた基礎コンクリートブロックの吊り上げ方法を説明する。
まず、基礎コンクリート吊り用治具１のワイヤー吊り部４，４の穴５，５に吊りワイヤー７，７を通し、クレーンフック（図示省略）に掛ける。クレーンで基礎コンクリート吊り用治具１を吊り上げ、基礎コンクリートブロック８の上方から、基礎コンクリートブロック８が基礎コンクリート吊り用治具１に通るように、基礎コンクリート吊り用治具１を降ろす（図４（ａ））。
次に、鋼材２，２を、両端が上がるように折り曲げ、鋼材３，３の内側を基礎コンクリートブロック８の上部に当接させる。
ワイヤー吊り部４，４とクレーンフックを連結する吊りワイヤー７，７の間の角度Ａを１４０°以上になるように設定する。設定は、吊りワイヤー７，７の長さを変えるか、吊りワイヤー７，７を通す穴５の位置を変えることによって行う。
角度Ａを１４０°以上に保ったまま、吊りワイヤー７，７をクレーンで引き上げ、基礎コンクリートブロックを吊り上げる（図４（ｂ））。
【００１９】
このように、上記実施の形態の基礎コンクリート吊り用治具によれば、基礎コンクリートブロック８の上方から、吊りワイヤー７，７を有した基礎コンクリート吊り用治具１を通し、鋼材２，２を折り曲げることにより、基礎コンクリートブロック８と吊りワイヤー７，７とを連結することができるので、吊り上げ作業を容易に行うことができる。また、鋼材３，３の基礎コンクリートブロック８に当接する部分にゴム板６，６を設けたことにより、基礎コンクリートブロック８を確実に保持することができ、基礎コンクリートブロック８がずれることもないので、安全に吊り上げ作業を行うことができる。
また、吊りワイヤー７，７の間の角度Ａを１４０°以上にして、ワイヤーを引き上げることによって、ワイヤー吊り部４，４にかかる水平方向（基礎コンクリート吊り用治具１の内側方向）の力を大きくすることができるので、鋼材３，３で基礎コンクリートブロックを強く挟み込むことができる。
【００２０】
なお、以上の実施の形態例においては、弾性体として板ゴムを用いたが、本発明はこれに限定されるものではなく、鋼材に均一に設けられるものであれば他の形状のゴムや樹脂でも良い。
また、ワイヤー吊り部に穴を２つずつ設けたが、３つ以上であっても良いし、吊りワイヤーの長さを容易に変更できるのであれば、１つであっても良い。
ワイヤー吊り部の形状や鋼材の折り曲げ部分の構造等も任意であり、その他、具体的な細部構造等についても適宜に変更可能であることは勿論である。
【００２１】
【発明の効果】
以上のように、本発明に係る基礎コンクリート吊り用治具によれば、基礎コンクリートブロックを通した基礎コンクリート吊り用治具の対向する一対の鋼材を折り曲げて、基礎コンクリート吊り用治具の内寸を小さくし、他方の対向する一対の鋼材を両側から押し付ける。これにより基礎コンクリート吊り用治具を基礎コンクリートブロックに連結することができ、ワイヤー吊り部にワイヤーを掛けることによって、基礎コンクリートブロックの吊り上げ作業を容易に行うことができる。
【００２２】
本発明に係る基礎コンクリート吊り用治具によれば、ワイヤー吊り部を対向する一対の鋼材のそれぞれのほぼ中央部に設けたことにより、吊り上げの際に基礎コンクリートブロックの重心を取り易く、安全に基礎コンクリートブロックの吊り上げを行うことができる。
【００２３】
また、本発明に係る基礎コンクリート吊り用治具によれば、弾性体を、基礎コンクリートブロックに当接するワイヤー吊り部材を有する鋼材の内側に設けたことにより、鋼材が基礎コンクリートブロックに密着し、基礎コンクリートブロックを確実に保持することができる。
【００２４】
また、本発明に係る基礎コンクリート吊り用治具によれば、ワイヤー吊り部材とクレーンフックとを連結する２本の吊りワイヤー間の角度が大きくなるにつれ、ワイヤーで吊り上げることによってワイヤー吊り部を有する鋼材にかかる水平方向の力が大きくなる。したがって、２本の吊りワイヤーの角度を１４０°以上とすることにより、ワイヤー吊り部を有する鋼材を基礎コンクリートブロックに強く押しつけることができ、確実に基礎コンクリートブロックを保持することができる。
【図面の簡単な説明】
【図１】本発明を適用した一例としての基礎コンクリート吊り用治具の構造を示す上面図である。
【図２】図１における基礎コンクリート吊り用治具の折り曲げ可能な鋼材の構造を示す側面図である。
【図３】図１における基礎コンクリート吊り用治具のワイヤー吊り部を有する鋼材の構造を示す側面図である。
【図４】図１における基礎コンクリート吊り用治具を用いた基礎コンクリートブロックの吊り上げ方法を示す図であり、
（ａ）は基礎コンクリート吊り用治具に基礎コンクリートブロックを通した状態を示し、
（ｂ）は基礎コンクリートブロックをワイヤーで吊り上げた状態を示している。
【符号の説明】
１  基礎コンクリート吊り用治具
２  鋼材
２ａ，２ｂ  鋼材
２ｃ鋼板
２ｄボルト
３  鋼材
４  ワイヤー吊り部
５  穴
６  ゴム板
７  吊りワイヤー
８  基礎コンクリートブロック
【図１】
0004317623.tif 000002
【図２】
0004317623.tif 000003
【図３】
0004317623.tif 000004
【図４】
0004317623.tif 000005